(57)【要約】【課題】シール材の消費量の削減を図り、施工性の向上とコスト削減を実現することができる金属屋根葺材の吊子を提供する。【解決手段】屋根下地面の上面に重ねる取付けプレート１２の一端側に、金属屋根葺材１の上端縁に設けた折り返し片１１に対する係合片１４を裏面側に向けて折り返し状に設け、前記取付けプレート１２に締結具１５の挿通孔１６を設けた吊子６において、前記取付けプレート１２の裏面側全面に挿通孔１６を閉鎖するためのシール材１７を貼着する。【選択図】図２
2007023636.tif 000002
【特許請求の範囲】
【請求項１】
屋根下地の上面に重ねる取付けプレートの一端側を上面側へ傾斜させ、この傾斜部分の先端に、金属屋根葺材の上端縁に設けた折り返し片に対する係合片を裏面側に向けて折り返し状に設け、前記取付けプレートに締結具の挿通孔を設けた金属屋根葺材の吊子において、前記取付けプレートの裏面側に挿通孔を閉鎖するシール材を貼着したことを特徴とする金属屋根葺材の吊子。
【請求項２】
上記シール材が、ルーフィング系、改質アスファルト系、非加硫ブチールゴム系、加硫ブチールゴム系の何れかであることを特徴とする請求項１に記載の金属屋根葺材の吊子。
【発明の詳細な説明】
【技術分野】
【０００１】
この発明は、金属屋根葺材を用いて屋根を葺くときに、屋根下地の上面に金属屋根葺材を固定するため、屋根下地の上面に釘等の締結具で取付ける金属板製の吊子に関する。
【背景技術】
【０００２】
図１と図２（ａ）は、金属屋根葺材１を用いた屋根構造を示し、母屋２の上に張設した野地板３の上面にアスファルト等のルーフィングシート４を敷設して屋根下地５が組立てられ、この屋根下地５の上面に、金属板を用いて折り曲げ加工した金属屋根葺材１を、横方向に並べると共に下部から上方へ順次接続して葺くことにより金属屋根が形成され、この各金属屋根葺材１を屋根下地に固定するために吊子６が使用される。
【０００３】
図１と図２（ａ）は、前記金属屋根葺材１の一例を示し、金属板を用いて横長矩形に形成した天板７の下縁に下向きの後板８と、この後板８の下縁に上方に向けて屈曲する係止板９とを設け、天板７の両側縁に下向きの側板１０を設けると共に、天板７の上端縁に上面側への折り返し片１１を設けた構造を有し、上下の金属屋根葺材１は、折り返し片１１を係止板９に係合させることにより、屋根下地５の上面に葺設される。
【０００４】
上記金属屋根葺材１を屋根下地５に固定する吊子６は、金属板を用い、屋根下地５の上面に重ねる取付けプレート１２の後端側を上面側へ傾斜させ、この傾斜部分１３の先端に、金属屋根葺材１の上端縁に設けた折り返し片１１に対する係合片１４を裏面側に向けて折り返し状に設け、前記取付けプレート１２に釘やビス等の締結具１５を屋根下地５に打ち込むための挿通孔１６を設けて形成されている。
【０００５】
この吊子６で金属屋根葺材１を屋根下地５に固定するには、金属屋根葺材１の上端部複数個所の位置において、吊子６の係合片１４を金属屋根葺材１の折り返し片１１に係合させて取付けプレート１２を屋根下地５の上面に重ね、挿通孔１６から締結具１５を打ち込むことにより屋根下地５に固定し、これによって、金属屋根葺材１の上端部を屋根下地５に固定化することになる。
【０００６】
ところで、金属屋根構造においては、金属屋根葺材１の接続部分や固定部分の防水性が極めて重要であるが、吊子６を屋根下地５に固定するため締結具１５を打ち込んだ挿通孔１６の部分は、そのままでは防水性がなく、金属屋根葺材１の裏面側に雨水が回り込んだ場合、この部分が漏水の発生原因となる。
【０００７】
このため、従来は、屋根下地５の上面で吊子６を固定する部位の横方向全長にわたって帯状に形成されたシール材を貼り付け、このシール材の上に吊子６の取付けプレート１２を重ね、打ち込んだ締結具１５の挿通孔１６を貫通する部分をシール材でシールすることにより、この締結具１５の挿通孔１６を貫通する部分と、屋根下地５への締結具１５の打ち込み部分の防水性を確保するようにしている。
【発明の開示】
【発明が解決しようとする課題】
【０００８】
しかし、上記のような帯状に形成された長尺シール材の使用は、シール材の消費量が多くなり、コスト的に高くつくだけでなく、シール材の貼り付け施工に手間がかかることになるという問題がある。
【０００９】
そこで、この発明の課題は、吊子の裏面側にシール材を直接取付けた部分的な使用によって、シール材の消費量の削減を図り、施工性の向上とコスト削減を実現することができる金属屋根葺材の吊子を提供することにある。
【課題を解決するための手段】
【００１０】
上記のような課題を解決するため、この発明は、屋根下地面に重ねる取付けプレートの一端側を上面側へ傾斜させ、この傾斜部分の先端に、金属屋根葺材の上端縁に設けた折り返し片に対する係合片を裏面側に向けて折り返し状に設け、前記取付けプレートに締結具の挿通孔を設けた金属屋根葺材の吊子において、前記取付けプレートの裏面側に挿通孔を閉鎖するシール材を貼着した構成を採用したものである。
【００１１】
上記シール材は、ルーフィング系、改質アスファルト系、非加硫ブチールゴム系、加硫ブチールゴム系の何れかを採用することができ、シート状に形成されたものを接着剤で取付けプレートの裏面側に貼り付ける。
【００１２】
ここで、上記シール材は取付けプレートの裏面側全面に貼着し、挿通孔から屋根下地に打ち込んだ釘がシール材を貫通することにより、このシール材は釘の貫通部分を緊密にシールすることで、釘の打ち込み部分から漏水が発生するのを防止する。
【発明の効果】
【００１３】
この発明によると、吊子における取付けプレートの裏面側にシール材を貼着したので、吊子を屋根下地に固定するため打ち込んだ締結具の挿通孔を貫通する部分と、屋根下地への締結具の打ち込み部分を、シール材によって緊密にシールすることができ、締結具の打ち込み部分から漏水が発生するのを確実に防止することができる。
【００１４】
また、シール材を吊子における取付けプレートの裏面側に貼着するだけであるので、シール材の使用が部分的になり、シール材の消費量を削減することで、シール材に要したコストの低減が図れる。
【００１５】
更に、吊子における取付けプレートの裏面側にシール材を貼着してあるので、現場において、屋根下地の上面にシール材を貼り付ける作業が不要になり、屋根施工の作業性を向上させることができる。
【発明を実施するための最良の形態】
【００１６】
以下、この発明の実施の形態を図示例に基づいて説明する。なお、背景技術の項と同一部分には同一符号を用いて説明する。
【００１７】
図１と図２（ａ）で示したように、金属屋根葺材１を用いた屋根構造は、母屋２の上に張設した野地板３の上面にアスファルト等のルーフィングシート４を敷設して屋根下地５が組立てられ、この屋根下地５の上面に、金属板を用いて折り曲げ加工した金属屋根葺材１を、横方向に並べると共に下部から上方へ順次接続して葺くことによって金属屋根が形成される。
【００１８】
前記各金属屋根葺材１は、金属板を用いて横長矩形に形成した天板７の下縁に下向きの後板８と、この後板８の下縁に上方に向けて屈曲する係止板９とを設け、天板７の両側縁に下向きの側板１０を設けると共に、天板７の上端縁に上面側への折り返し片１１を設けた構造を有し、上下の金属屋根葺材１は、折り返し片１１を係止板９に係合させることにより、屋根下地５の上面に葺設される。
【００１９】
図２（ｂ）と（ｃ）に示すように、上記金属屋根葺材１を屋根下地５に固定するこの発明の吊子６は、金属板を用い、屋根下地５に重ねる取付けプレート１２の後端側を上面側へ傾斜させ、この傾斜部分１３の先端に、金属屋根葺材１の上端縁に設けた折り返し片１１に対する係合片１４を裏面側に向けて折り返し状に設け、前記取付けプレート１２に釘等の締結具１５を屋根下地５に打ち込むための挿通孔１６を設け、前記取付けプレート１２の裏面側に挿通孔１６を閉鎖するシール材１７を貼着して形成されている。
【００２０】
上記吊子６は、例えば、取付けプレート１２が幅４０ｍｍ、長さ５０ｍｍ程度の大きさを有し、この取付けプレート１２の裏面全面にシール材１７が接着剤を用いて貼着され、挿通孔１６を裏面側から閉鎖している。
【００２１】
上記シール材１７としては、ルーフィング系、改質アスファルト系、非加硫ブチールゴム系、加硫ブチールゴム系の何れかを採用することができ、適宜厚みのシート状に成形されている。
【００２２】
この発明の吊子６で金属屋根葺材１を屋根下地５に固定するには、屋根下地５の上面に金属屋根葺材１を設置し、この金属屋根葺材１の上端部複数個所の位置において、吊子６の係合片１４を金属屋根葺材１の折り返し片１１に係合させて取付けプレート１２を屋根下地５の上面に重ね、取付けプレート１２に設けた挿通孔１６から締結具１５を屋根下地５に向けて打ち込んで吊子６を固定し、これによって、金属屋根葺材１の上端部を屋根下地５に固定することになる。
【００２３】
上記締結具１５を吊子６の挿通孔１６から屋根下地５に向けて打ち込むと、締結具１５はシール材１７を貫通することになり、このシール材１７は、屋根下地５の上面に密着すると共に、締結具１５の貫通部分を弾力的に抱持することで緊密にシールすることができ、従って、締結具１５が貫通する吊子６の挿通孔１６部分及び、屋根下地５に締結具１５を打ち込んだ部分から漏水が発生するのを確実に防止することができる。
【００２４】
また、吊子６における取付けプレート１２の裏面側に予めシール材１７を貼着してあるので、シール材１７の使用が部分的になり、屋根下地５の上面にシール材を貼り付ける作業が省け、作業能率の向上とシール材の消費量削減が図れることになる。
【図面の簡単な説明】
【００２５】
【図１】金属屋根葺材を用いた屋根構造の分解斜視図
【図２】（ａ）は金属屋根葺材を用いた屋根構造の縦断側面図、（ｂ）は吊子の斜視図、（ｃ）は吊子の縦断側面図
【符号の説明】
【００２６】
１      金属屋根葺材
２      母屋
３      野地板
４      ルーフィングシート
５      屋根下地
６      吊子
７      天板
８      後板
９      係止板
１０    側板
１１    折り返し片
１２    取付けプレート
１３    傾斜部分
１４    係合片
１５    締結具
１６    挿通孔
１７    シール材
【図１】
2007023636.tif 000003
【図２】
2007023636.tif 000004